【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
マルチチャネルオーディオ信号に対応する第１の合成フレームと第２の合成フレームとを受信するように構成されたプロセッサと、
前記第１の合成フレームの第１の先読み部分データを記憶するように構成されたメモリと、前記第１の先読み部分データが前記プロセッサから受信される、
マルチチャネルエンコーダにおいてフレームを生成するように構成されたコンバイナと、前記フレームが、前記第１の先読み部分データのサンプルのサブセットと、前記第１の合成フレームに対応する更新されたサンプルデータの１つまたは複数のサンプルと、前記第２の合成フレームに対応する第２の合成フレームデータのサンプルのグループとを含む、
を備えるデバイス。
【請求項２】
前記第１の合成フレームが、前記マルチチャネルオーディオ信号の第１のオーディオチャネルの第１の入力フレームと、前記マルチチャネルオーディオ信号の第２のオーディオチャネルの第２の入力フレームとの合成を含む、請求項１に記載のデバイス。
【請求項３】
前記第１の入力フレームと、前記第２の入力フレームと、前記第２のオーディオチャネルの第２の特定の入力フレームとに基づいて、前記第１の合成フレームの第２のバージョンの少なくとも特定の部分を生成するように構成されたサンプル補正器をさらに備え、
ここにおいて、前記第２の合成フレームが、前記第１のオーディオチャネルの第１の特定の入力フレームと、前記第２の特定の入力フレームとの特定の合成を含み、
ここにおいて、前記プロセッサが、前記第１の合成フレームの前記第２のバージョンの少なくとも前記特定の部分を処理することによって、前記更新されたサンプルデータを生成するようにさらに構成された、請求項２に記載のデバイス。
【請求項４】
前記第１の先読み部分データのサンプルの前記サブセットが、前記マルチチャネルオーディオ信号の第２のオーディオチャネルからのサンプル情報を除外する、請求項１に記載のデバイス。
【請求項５】
前記更新されたサンプルデータの前記１つまたは複数のサンプルが、前記サンプル情報を含む、請求項４に記載のデバイス。
【請求項６】
前記第１の先読み部分データのサンプルの前記サブセットが、前記マルチチャネルオーディオ信号の第２のオーディオチャネルに対応する予測されたサンプル情報を含む、請求項１に記載のデバイス。
【請求項７】
前記プロセッサが、前記第２の合成フレームのフレーム部分を処理することによって、前記第２の合成フレームデータを生成するようにさらに構成された、請求項１に記載のデバイス。
【請求項８】
前記プロセッサが、ハイパスフィルタ、リサンプラ、またはエンファシス調整器のうちの少なくとも１つを含む、請求項１に記載のデバイス。
【請求項９】
前記プロセッサが、
入力信号をフィルタ処理することによって、フィルタ処理された信号を生成するように構成されたハイパスフィルタと、
前記フィルタ処理された信号をリサンプリングすることによって、リサンプリングされた信号を生成するように構成されたリサンプラと
を含み、
ここにおいて、前記プロセッサが、前記リサンプリングされた信号に基づいて、前処理された信号を生成するように構成された、請求項１に記載のデバイス。
【請求項１０】
前記リサンプラが、前記フィルタ処理された信号をダウンサンプリングすることによって、前記リサンプリングされた信号を生成するように構成されたダウンサンプラを含む、請求項９に記載のデバイス。
【請求項１１】
前記プロセッサが、前記リサンプリングされた信号のエンファシスを調整することによって、エンファシスされた信号を生成するように構成されたエンファシス調整器をさらに含み、ここにおいて、前記前処理された信号が前記エンファシスされた信号に基づく、請求項９に記載のデバイス。
【請求項１２】
前記入力信号が、前記第１の合成フレームの第１の先読み部分、前記第１の合成フレームの第２のバージョンの少なくとも特定の部分、または前記第２の合成フレームのフレーム部分を含む、請求項９に記載のデバイス。
【請求項１３】
前記前処理された信号が、前記第１の先読み部分データ、前記更新されたサンプルデータ、または前記第２の合成フレームデータを含む、請求項９に記載のデバイス。
【請求項１４】
前記プロセッサは、
フィルタを使用して前記第１の先読み部分データのサンプルの前記サブセットを生成することと、
前記第１の先読み部分データのサンプルの前記サブセットの生成時に前記フィルタの第１のフィルタ状態を決定することと、
前記第１のフィルタ状態を前記メモリに記憶することと、
前記第１の先読み部分データのサンプルの前記サブセットを生成することの後に、前記フィルタを使用して前記第１の先読み部分データのサンプルの第２のサブセットを生成することと、ここにおいて、前記フィルタが、前記第１の先読み部分データのサンプルの前記第２のサブセットの生成時に第２のフィルタ状態を有する、
前記第１のフィルタ状態を有するように前記フィルタをリセットすることと、
前記第１のフィルタ状態を有する前記フィルタを使用して、前記更新されたサンプルデータを生成することと
を行うように構成された、請求項１に記載のデバイス。
【請求項１５】
第１のオーディオチャネルを受信するように構成された第１のマイクロフォンと、
第２のオーディオチャネルを受信するように構成された第２のマイクロフォンと、前記第１のオーディオチャネルが、前記第１のオーディオチャネルおよび前記第２のオーディオチャネルのうちの先行オーディオチャネルに対応し、前記第２のオーディオチャネルが、前記第１のオーディオチャネルおよび前記第２のオーディオチャネルのうちの遅行オーディオチャネルに対応する、
前記第１のオーディオチャネルと前記第２のオーディオチャネルとの間の時間的ずれの量を示す値を決定することと、
前記第１のオーディオチャネルの第１のサンプルと前記第２のオーディオチャネルの第２のサンプルとに基づいて前記マルチチャネルオーディオ信号を生成することと、前記第２のサンプルが、前記値に基づいて前記第１のサンプルに対してシフトされる、
を行うように構成された時間等化器と
をさらに備える、請求項１に記載のデバイス。
【請求項１６】
前記更新されたサンプルデータが、前記第１の合成フレームを生成するために使用される１つまたは複数のダウンミックスパラメータ値に基づく、請求項１に記載のデバイス。
【請求項１７】
第１のオーディオチャネルを受信するように構成された第１のマイクロフォンと、
第２のオーディオチャネルを受信するように構成された第２のマイクロフォンと、前記第１のオーディオチャネルが、前記第１のオーディオチャネルおよび前記第２のオーディオチャネルのうちの先行オーディオチャネルに対応し、前記第２のオーディオチャネルが、前記第１のオーディオチャネルおよび前記第２のオーディオチャネルのうちの遅行オーディオチャネルに対応し、ここにおいて、前記マルチチャネルオーディオ信号が、前記第１のオーディオチャネルおよび前記第２のオーディオチャネルに基づく、
をさらに備える、請求項１に記載のデバイス。
【請求項１８】
前記コンバイナは、前記マルチチャネルエンコーダにおいて第２のフレームを生成するようにさらに構成され、前記第２のフレームが、前記第１の合成フレームに対応する第１の合成フレームデータのサンプルのグループを含み、前記第２のフレームが、第１の出力フレームに対応し、ここにおいて、前記第１の出力フレームが、第１の合成フレームよりも短い持続時間を有する、請求項１に記載のデバイス。
【請求項１９】
前記第１の出力フレームは、初期フレームに対応し、ここにおいて、前記フレームが、第２の出力フレームに対応し、前記第２の出力フレームが、前記第１の出力フレームの後の時間期間に対応する、請求項１８に記載のデバイス。
【請求項２０】
前記第１の合成フレームに対応する前記第１の合成フレームデータのサンプルの前記グループは、前処理された第１の合成フレームの一部分を備える、請求項１８に記載のデバイス。
【請求項２１】
デバイスにおいて、第１の合成フレームの第１の先読み部分データを記憶することと、前記第１の合成フレームおよび第２の合成フレームが、マルチチャネルオーディオ信号に対応する、
前記デバイスのマルチチャネルエンコーダにおいてフレームを、前記デバイスのコンバイナによって、生成することと、前記フレームが、前記第１の先読み部分データのサンプルのサブセットと、前記第１の合成フレームに対応する更新されたサンプルデータの１つまたは複数のサンプルと、前記第２の合成フレームに対応する第２の合成フレームデータのサンプルのグループとを含む、
を備える符号化の方法。
【請求項２２】
前記第１の合成フレームが、前記マルチチャネルオーディオ信号の第１のオーディオチャネルの第１の入力フレームと、前記マルチチャネルオーディオ信号の第２のオーディオチャネルの第２の入力フレームとの合成を含み、ここにおいて、前記第１の先読み部分データのサンプルの前記サブセットが、前記マルチチャネルオーディオ信号の第１のオーディオチャネルのサンプル情報を除外し、ここにおいて、前記更新されたサンプルデータの前記１つまたは複数のサンプルが、前記サンプル情報を含む、請求項２１に記載の方法。
【請求項２３】
前記第２の合成フレームのフレーム部分を処理することによって、前記第２の合成フレームデータを生成することと、ここにおいて、前記処理することが、フィルタ処理すること、リサンプリングすること、またはエンファシスすることのうちの少なくとも１つを含む、
前記第２の合成フレームデータの少なくとも１つのサンプルを第２の先読み部分データとして記憶することと
をさらに備える、請求項２１に記載の方法。
【請求項２４】
前記第１の先読み部分データの少なくとも１つのサンプルを、前記更新されたサンプルデータの前記１つまたは複数のサンプルと置き換えることによって、更新された部分を生成することをさらに備え、ここにおいて、前記フレームが、第２の合成フレームデータのサンプルの前記グループと前記更新された部分とを連結することによって生成される、請求項２１に記載の方法。
【請求項２５】
プロセッサによって実行されたとき、前記プロセッサに、
第１の合成フレームの第１の先読み部分データを記憶することと、前記第１の合成フレームおよび第２の合成フレームが、マルチチャネルオーディオ信号に対応する、
マルチチャネルエンコーダにおいてフレームを、前記プロセッサによって、生成することと、前記フレームが、前記第１の先読み部分データのサンプルのサブセットと、前記第１の合成フレームに対応する更新されたサンプルデータの１つまたは複数のサンプルと、第２の合成フレームデータのサンプルのグループとを含む、
を備える動作を実施させる命令を記憶するコンピュータ可読記憶デバイス。
【請求項２６】
前記第１の合成フレームが、前記マルチチャネルオーディオ信号の第１のオーディオチャネルの第１の入力フレームと、前記マルチチャネルオーディオ信号の第２のオーディオチャネルの第２の入力フレームとの合成を含み、ここにおいて、前記第１の入力フレームの第１の特定の先読み部分が、前記マルチチャネルオーディオ信号の前記第１のオーディオチャネルの１つまたは複数の第１のサンプルを含み、ここにおいて、前記第２の入力フレームの第２の特定の先読み部分が、前記マルチチャネルオーディオ信号の前記第２のオーディオチャネルの１つまたは複数の第２のサンプルを含み、ここにおいて、前記１つまたは複数の第１のサンプルが、第１のマイクロフォンを介した、前記第１のサンプルの受信と、第２のマイクロフォンを介した、前記第２のサンプルの受信との間の検出された遅延に対応するサンプルシフトを有する、請求項２５に記載のコンピュータ可読記憶デバイス。
【請求項２７】
前記第１の先読み部分データのサンプルの前記サブセットが、前記マルチチャネルオーディオ信号の第１のオーディオチャネルのサンプル情報を除外し、ここにおいて、前記更新されたサンプルデータの前記１つまたは複数のサンプルが、前記サンプル情報を含む、請求項２５に記載のコンピュータ可読記憶デバイス。
【請求項２８】
前記動作が、前記第２の合成フレームのフレーム部分を処理することによって、前記第２の合成フレームデータを生成することをさらに備える、請求項２５に記載のコンピュータ可読記憶デバイス。
【請求項２９】
前記処理することが、
前記第２の合成フレームの前記フレーム部分をフィルタ処理することによって、フィルタ処理された信号を生成することと、
前記フィルタ処理された信号をリサンプリングすることによって、リサンプリングされた信号を生成することと、
前記リサンプリングされた信号のエンファシスを調整することによって、エンファシスされた信号を生成することと
を含み、
ここにおいて、前記第２の合成フレームデータが、前記エンファシスされた信号に基づく、請求項２８に記載のコンピュータ可読記憶デバイス。
【請求項３０】
前記動作が、前記第１の先読み部分データの少なくとも１つのサンプルを、前記更新されたサンプルデータの前記１つまたは複数のサンプルと置き換えることによって、更新された部分を生成することをさらに備え、ここにおいて、前記フレームが、前記更新された部分と前記第２の合成フレームデータとに基づいて生成される、請求項２８に記載のコンピュータ可読記憶デバイス。
【請求項３１】
第１の合成フレームの第１の先読み部分データを記憶するための手段と、前記第１の合成フレームおよび第２の合成フレームが、マルチチャネルオーディオ信号に対応する、
マルチチャネルエンコーダにおいてフレームを生成するための手段と、前記フレームが、前記第１の先読み部分データのサンプルのサブセットと、前記第１の合成フレームに対応する更新されたサンプルデータの１つまたは複数のサンプルと、前記第２の合成フレームに対応する第２の合成フレームデータのサンプルのグループとを含む、
を備える装置。
【請求項３２】
記憶するための前記手段および生成するための前記手段が、モバイルフォン、通信デバイス、コンピュータ、音楽プレーヤ、ビデオプレーヤ、エンターテインメントユニット、ナビゲーションデバイス、携帯情報端末（ＰＤＡ）、デコーダ、またはセットトップボックスのうちの少なくとも１つに組み込まれる、請求項３１に記載の装置。